(57)【要約】少なくとも１つの電気的に導通するワイヤを備えかつトランスポンダ電子チップ（７）に接続された少なくとも１つのターン（３〜５）を備えた型の検出または識別用共振アンテナであって、該アンテナの動作周波数は１０ＭＨｚ以上であり、前記少なくとも１つのターンによって区画される面積は実質的に０．３０ｍ２以下である。アンテナの全容量は実質的に１４０ｐＦ以上であり、前記少なくとも１つのターンのＱ値は実質的に３０以上である。
2006509480.tif 000002
【特許請求の範囲】
【請求項１】
少なくとも１つの電気的に導通するワイヤを備えかつトランスポンダ電子チップ（７）に接続された少なくとも１つのターン（３〜５；１１；１２；２１；３１）を備えた型の検出または識別用共振アンテナであって、該アンテナの動作周波数は１０ＭＨｚ以上であり、前記少なくとも１つのターンによって区画される面積は実質的に０．３０ｍ２以下である、検出または識別用共振アンテナにおいて、アンテナ（１；１０；２０；３０）の全容量は実質的に１４０ｐＦ以上であり、前記少なくとも１つのターン（３〜５；１１,１２；２１；３１）のＱ値は実質的に３０以上であることを特徴とする共振アンテナ。
【請求項２】
トランスポンダ・チップ（７）は、所定の値の第１のコンデンサを有し、アンテナ（１；１０；２０；３０）の全容量が１４０ｐＦ以上であるように、電子チップ（７）と並列に第２のコンデンサ（８）が置かれたことを特徴とする請求項１に記載の共振アンテナ。
【請求項３】
前記少なくとも１つのターン（３〜５；１１,１２；２１；３１）は、アンテナ（１；１０；２０；３０）が、それ自体、所定の形状を保持するのに適切な機械的特性を有することを特徴とする請求項１または２に記載の共振アンテナ。
【請求項４】
前記少なくとも１つのターン（３〜５；１１,１２；２１；３１）は支持体（２）に固定されることを特徴とする請求項１または２に記載の共振アンテナ。
【請求項５】
前記少なくとも１つのターン（３〜５；１１,１２；２１；３１）は単一ストランドのワイヤを含むことを特徴とする請求項１乃至４のいずれかに記載の共振アンテナ。
【請求項６】
前記少なくとも１つのターン（３〜５；１１,１２；２１；３１）は、７本のストランドから形成され、その直径が実質的に０．２５ｍｍに等しいワイヤを含むことを特徴とする請求項１乃至４のいずれかに記載の共振アンテナ。
【請求項７】
前記少なくとも１つのターン（３〜５；１１,１２；２１；３１）は、基板上に沈積されたトラックの形態を取り、その幅及び厚さは、それぞれ少なくとも実質的に１．４ｍｍ及び３５μｍに等しいことを特徴とする請求項１乃至４のいずれかに記載の共振アンテナ。
【請求項８】
アンテナ（１；１０；２０；３０）は単一のターン（３）を含むことを特徴とする請求項１乃至７のいずれかに記載の共振アンテナ。
【請求項９】
単一のターンは、窪まされた角を有する矩形形状、及びカットされた角を有する矩形形状の１つから選択されることを特徴とする請求項８に記載の共振アンテナ。
【請求項１０】
アンテナ（１０）は、第１のターン（１１）と、該第１のターンの内側に置かれ、その面積が実質的に前記第１のターン（１１）の面積の１０％と９０％の間にある第２のターン（１２）と、を備えたことを特徴とする請求項１乃至７のいずれかに記載の共振アンテナ。
【請求項１１】
第２のターン（１２）の面積は、実質的に、第１のターン（１１）の面積の半分に等しいことを特徴とする請求項１０に記載の共振アンテナ。
【発明の詳細な説明】
【技術分野】
【０００１】
本発明は、少なくとも１つの電気的に導通のワイヤを備えトランスポンダ電子チップに接続された少なくとも１つのターンを備えた型の検出または識別用共振アンテナに関し、該アンテナの動作周波数は１０ＭＨｚ以上であり、少なくとも１つのターンによって限定される面積は実質的に０．３０ｍ２以下である。
【背景技術】
【０００２】
アンテナは、高周波で動作する共振回路を形成し、その高周波の値は、電子チップに供給するために充分なエネルギをピックアップするように予め決められている。
【０００３】
このようなアンテナは、例えば、無接触の識別の分野において、そして盗難防止システムにおける検出の分野において用いられる。これらのアンテナは、また、通常、「ラベル（labels）」と呼ばれ、それらの面積は０．３０ｍ２を越えず、それらの動作周波数は高い（１０ＭＨｚ以上）。
【０００４】
共振アンテナは、それらのインダクタンスが回路の容量と整合するような方法で構成されている。この容量は、実際、電子チップのものに近い。さて、このような回路は、回路の容量に特に影響を与える誘電媒体として動作するので、環境に非常に敏感である。
【０００５】
従って、動作が媒体の変化によって損なわれないアンテナを製造することは非常に困難である。特に、共振アンテナが使用者の（player’s）識別番号に一体化されていて、従って人間と接触している場合には、回路の容量が増加する。この欠点を解決するために、アンテナの形状を変更すること、もしくは、他には、アンテナのターンの数を変更することが考えられてきた。しかしながら、このように考えられた解決法は満足な結果を提供しない。
【発明の開示】
【発明が解決しようとする課題】
【０００６】
本発明の目的は、特に、アンテナが置かれている環境に実質的に不感応である共振アンテナを提供することによって上述の欠点を改善することであり、かつ単純、効果的及び安価な手段によってそれを行なうことである。
【課題を解決するための手段】
【０００７】
この目的のために、本発明によれば、問題となっている種類の共振アンテナは、アンテナの全容量が実質的に１４０ｐＦ以上であり、前記少なくとも１つのターンのＱ値が実質的に３０以上であることを本質的に特徴としている。
【０００８】
これらの配列のために、驚いたことに、環境によって変更されない動作特性を有するアンテナが得られた。
【０００９】
長所的には、トランスポンダ・チップは、所定の値の第１のコンデンサを有し、アンテナの全容量が１４０ｐＦ以上であるように、電子チップと並列に第２のコンデンサが置かれる。これにより、製造中に予め決められたチップの容量に従ってアンテナの容量を整合させることが容易である。
【００１０】
好ましくは、前記少なくとも１つのターンは、アンテナが、それ自体、所定の形状を保持するのに適切な機械的特性を有する。従って、アンテナは、ブレスレットまたはカラーの形態で用いられ得る。
【００１１】
１つの長所的な実施形態においては、前記少なくとも１つのターンは支持体に固定される。
【００１２】
また、好ましくは、前記少なくとも１つのターンは単一ストランドのワイヤを含む。
【００１３】
長所的には、前記少なくとも１つのターンは、７本のストランドから形成され、その直径が例えば実質的に０．２５ｍｍに等しいワイヤを含む。
【００１４】
前記少なくとも１つのターンは、基板上に沈積されたトラックの形態を取り、その幅及び厚さは、それぞれ少なくとも１．４ｍｍ及び３５μｍに実質的に等しい。
【００１５】
また、長所的には、アンテナは単一のターンを含む。
【００１６】
好ましくは、単一のターンは、窪まされた角を有する矩形形状、及びカットされた角を有する矩形形状の１つから選択される。
【００１７】
変形例として、アンテナは、第１のターンと、該第１のターンの内側に置かれ、その面積が実質的に前記第１のターンの面積の１０％と９０％の間にある第２のターンと、を備える。
【００１８】
好ましくは、第２のターンの面積は、実質的に、第１のターンの面積の半分に等しい。
【００１９】
本発明の他の特徴及び長所は、添付図面と共に非制限的な例により与えられる２つの実施形態の以下の説明中に明瞭となるであろう。
【発明を実施するための最良の形態】
【００２０】
図１は、使用者の（player’s）識別番号２と関連した、本発明による共振アンテナ１もしくはラベル（label）の、好適ではあるがそれに限るものではない形態を示す。アンテナ１は小さい厚さを有する。
【００２１】
従って、アンテナ１は、例えば矩形形状の３つのターン３、４及び５を含む。もちろん、ターンの形状は違っていても良く、それは、正方形、円形、楕円形または六角形の形状でさえ可能である。ターンの形状は、アンテナの使用状態に従って選択される。
【００２２】
共振アンテナ１は、支持体もしくは使用者の番号２にそれ自体取り付けられているトランスポンダ・チップ７のための供給及び送信アンテナを構成する。
【００２３】
用いられる電子チップ７はそれ自体知られており、１０ＭＨｚ以上の高周波で、例えば、１３・５６ＭＨｚの周波数で動作する。このチップは、その容量のような本来的な特性を有する。この容量の値は、チップの製造中に決定される。
【００２４】
もちろん、本発明によるアンテナは、他の周波数でも用いられ得る。
【００２５】
本発明の文脈内で、アンテナ１は、構成ターンの面積が実質的にこのアンテナの厚さ以上である限りにおいて小さい厚さのものであることを述べておく。ターンによって境界付けられる面積は小さい、すなわち０．３０ｍ２以下である。例えば、それは一辺が０・５ｍの正方形であって良い。
【００２６】
さらに、このアンテナは、チップ７に接続されたただ１つのターン３から成っていても良いということが容易に理解されるであろう。
【００２７】
本発明のもう１つの本質的な特徴によれば、アンテナ１は、その全容量が１４０ｐＦ以上であるように、かつターン３〜５（または、ただ１つのターンの場合にはターン３）によって形成されるコイルのＱ値が３０以上であるように構成される。
【００２８】
電子チップの容量が、構成によって、この１４０ｐＦの閾値に達することができない限り、本発明は、長所的に、第２のコンデンサ８がチップ７と並列に置かれることを提供する。この第２のコンデンサの値は、アンテナの全容量が１４０ｐＦ以上であるように、電子チップ７の容量に整合される。
【００２９】
全容量の値は、また、例えば、ループ内のいくつかの点に置かれたいくつかの局部コンデンサ、またはプレート、スクリーンまたはケーブル・ジャケットから得られる分布コンデンサと関連した他の局部コンデンサを有することによってのようないくつかの他の異なった方法でも達成され得る。
【００３０】
ターン３〜５は、例えば、銅またはアルミニウム合金から作られ、それらの幾何学的特性は、３０以上のＱ値を得るように設計される。
【００３１】
このようにして、その直接の環境に不感応の共振アンテナ１が得られる。
【００３２】
各ターンは、ただ１つのストランドのもしくは束のターンであっても良く、または多数のストランドのもしくは束のターンであっても良い。アンテナは、従って、７つのストランドから形成されたワイヤを含んでいて良く、該ワイヤの全直径は、約０．２５ｍｍである。アンテナは矩形形状を有していて良く、その長さは約１９０ｍｍであり、その幅は約１６０ｍｍである。
【００３３】
アンテナが装着されるもしくは固定される支持体２は、プラスチック、ガラス、板紙、皮革、木、不織布または織布のような任意の型の材料から作られ得る。
【００３４】
ターン３〜５は、任意の既知の技術を用いて、支持体２に固定され得る。ターンは、例えば、エッチングまたはプリント（印刷）、もしくは導電材料を沈積するための任意の他のプロセスによって沈積されたトラックの形態を取って良い。
【００３５】
非制限的な例によれば、得られたトラックは１．４ｍｍの幅及び３５μｍの厚さを有する。
【００３６】
さらに、ラベル１は、支持体に固定されないことが可能である。複数のターンまたはただ１つのターンは、この場合、ターンがそれ自体（またはそれら自体）により支持されるのを許容する機械的特性を有する材料から得られる。アンテナは、例えば、７〜１９ストランドを含むワイヤから作られた単一のターンの形態を取り得、ワイヤの直径は、次に、０．５ｍｍに近い。
【００３７】
さらに、第２の実施形態において、図２に示されるように、アンテナ１０は、例えば、ほぼ矩形形状のケースのような、アンテナが固定されることを意図されている支持体に整合される任意の形状を有し得る。
【００３８】
それが置かれている環境をなお考慮しつつ、第１の実施形態におけるのと同じ容量、面積及びＱ値特性を達成するため、このアンテナは、例えば、第１のターン１１及び第２のターン１２から成り、そのうちの一方は、他方の内側に置かれて、より小さい面積を有する。
【００３９】
例えば、第２のターン１２は第１のターン１１の内側に置かれ、第２のターン１２は、第１のターン１１の面積の１０％と９０％との間の面積を有する。この実施形態の場合において、第２のターン１２は、第１のターン１１の面積の半分にほぼ等しい。
【００４０】
このように、第１のターン１１は、第２のターン１２に沿って、その長さの部分に渡ってのみ延びている。
【００４１】
もちろん、これらのターンは、また、上述した電子チップ７に接続される。
【００４２】
さらに、第１の実施形態に関連して述べたように、アンテナは、（チップに、そして任意選択的には追加の１つ以上のコンデンサに接続される）単一のターンすなわちただ１つのターンを含み得る。このターンは、アンテナの共振周波数が所望の周波数に完全に同調されるように同じ周囲の長さを維持したままで、種々に形状化され得る。例えば、図３に示されるように、アンテナ２０は、単一の十字形状のターン２１（角が窪まされた矩形形状）を含む。変形例として、図４に示されるアンテナ３０は、再度、角がカットされた矩形形状の単一のターン３１を含む。
【００４３】
もちろん、本発明による共振アンテナは、例として上述した好適な実施形態に制限されるものではなく、それどころか特許請求の範囲内にある代替的な全ての実施形態を包含するものである。
【図面の簡単な説明】
【００４４】
【図１】使用者の識別番号と関連した、本発明の第１の実施形態による共振アンテナを示す図である。
【図２】本発明の第２の実施形態による共振アンテナの平面図である。
【図３】本発明の第３の実施形態による共振アンテナの平面図である。
【図４】本発明の第４の実施形態による共振アンテナの平面図である。
【符号の説明】
【００４５】
１・・・共振アンテナ
２・・・識別番号（支持体）
３、４及び５・・・ターン
７・・・トランスポンダ・チップ
８・・・第２のコンデンサ
【図１】
2006509480.tif 000003
【図２】
2006509480.tif 000004
【図３】
2006509480.tif 000005
【図４】
2006509480.tif 000006
【国際調査報告】
2006509480.tif 000007
2006509480.tif 000008
2006509480.tif 000009
2006509480.tif 000010
2006509480.tif 000011
2006509480.tif 000012